(57)【特許請求の範囲】
【請求項１】
第１データベースと、音響再生手段と、映像再生手段と、第２データベースと、演奏手段と、制御手段と、音響出力手段と、映像出力手段を備えたカラオケ装置であって、
第１データベースは、第１タイプ楽曲データを楽曲ＩＤに対応付けて集約し、
第１タイプ楽曲データは、伴奏音楽録音データおよびムード映像の多重化データと、歌詞描出データを含み、
ムード映像は、パートＩＤにより特定される複数の区分単位で再生可能であり、
音響再生手段は、第１タイプ楽曲データから分離された伴奏音楽録音データを再生可能とし、
映像再生手段は、第１タイプ楽曲データから分離されたムード映像を再生可能とし、
第２データベースは、第２タイプ楽曲データを楽曲ＩＤに対応付けて集約し、
第２タイプ楽曲データは、伴奏音楽電子楽譜データと、歌詞描出データと、台本データを含み、
台本データは、複数のパートＩＤを時系列に配列し、
演奏手段は、伴奏音楽電子楽譜データに従って伴奏音楽を演奏可能であり、
制御手段は、指定された楽曲ＩＤが第１タイプ楽曲データを指す場合は第１モードを、第２タイプ楽曲データを指す場合は第２モードを実行し、
第１モードは、該当の第１タイプ楽曲データを第１データベースから抽出し、伴奏音楽録音データおよびムード映像を同期再生させるとともに、歌詞描出データに基づいて伴奏音楽に同期した歌詞画像を作成し、伴奏音楽を音響出力手段より出力し、ムード映像に歌詞画像をスーパーインポーズして映像出力手段より出力し、
第２モードは、該当の第２タイプ楽曲データを第２データベースから抽出し、第１〜第３処理を行い、
第１処理は、伴奏音楽電子楽譜データに従って伴奏音楽を演奏させて音響出力手段より出力させ、
第２処理は、伴奏音楽に進行に伴って台本データから順次１つのパートＩＤを選出し、当該パートＩＤにより第１データベースにおける第１タイプ楽曲データ中のムード映像の区分を特定し、当該特定区分を映像再生手段に再生させて映像出力手段により出力させ、
第３処理は、歌詞描出データに基づいて伴奏音楽に同期した歌詞画像を作成し、これをムード映像にスーパーインポーズして映像出力手段より出力させる
カラオケ装置。
【発明の詳細な説明】
【０００１】
【発明の属する技術分野】
この発明は、カラオケ伴奏音楽をスピーカーから鳴らすとともに、その音楽の進行に合わせた歌詞画像と音楽のムードに合わせた背景映像とをディスプレイに表示するカラオケ装置に関する。
【０００２】
【従来の技術】
＝＝＝通信カラオケの出現直前の主流技術＝＝＝
カラオケ装置はコンテンツ（カラオケソフト）の形式によっていくつかの種類がある。代表的な１つはレーザーカラオケ（商品名）と呼ばれるタイプである。このタイプでは、コンテンツはつぎのように制作されて蓄積メディアに記録される。
カラオケ伴奏音楽は実際に演奏して録音する（オーディオ信号を記録する）。また、その楽曲の雰囲気に合せてムード映像を制作・編集するとともに、そのムード映像にその楽曲の歌詞画像を楽曲の進行と合うようにあらかじめ付加しておく。これを楽曲専用の歌詞付きムード映像と呼ぶことにする。
蓄積メディアとしては、レーザーディスク（商品名）と呼ばれる光学式アナログビデオディスクが用いられる。カラオケ伴奏音楽のアナログオーディオ信号と楽曲専用歌詞付きムード映像のアナログビデオ信号とをそれぞれ適宜に変調して重畳したコンポジット信号を光学式アナログビデオディスクに記録する。そのようなディスクを大量に複製し、多数のカラオケ装置に配付して装填する。
カラオケ装置のビデオディスクプレーヤーで希望曲が入ったディスクの所定トラックを再生することで、その楽曲の伴奏音楽がスピーカーから鳴り出し、同時にＣＲＴディスプレイに楽曲専用の歌詞付きムード映像が音楽の進行に合せて表示される。
【０００３】
べつの典型的なカラオケ装置では、ビデオＣＤとして規格化されているディジタル蓄積メディアを用いる（そもそもビデオＣＤ規格はカラオケＣＤ規格としてスタートした発展版である）。コンテンツの制作プロセスは前記レーザーカラオケタイプと基本的に同じである。つまり、カラオケ伴奏音楽は実際に演奏して録音するとともに、各楽曲専用の歌詞付きムード映像を制作・編集する。
そしてＭＰＥＧ１規格に従って、カラオケ伴奏音楽のオーディオ信号をディジタル圧縮符号化するとともに、楽曲専用歌詞付きムード映像のビデオ信号をディジタル圧縮符号化し、それらオーディオデータとビデオデータとを多重化して楽曲単位でビデオＣＤに記録する。そのようなディスクを大量に複製し、多数のカラオケ装置に配付して装填する。
カラオケ装置のＣＤ−ＲＯＭプレーヤーで希望曲が入ったディスクの所定トラックを再生することで、その楽曲のオーディオデータおよびビデオデータがデコードされて、カラオケ伴奏音楽がスピーカーから鳴り出し、同時にＣＲＴディスプレイに楽曲専用の歌詞付きムード映像が音楽の進行に合せて表示される。
【０００４】
＝＝＝通信カラオケ＝＝＝
最近の主流は周知の通信カラオケである。これはカラオケ伴奏音楽を発生させる仕組みが前記の２つのタイプと大きく異なる。一般的な通信カラオケ用の音楽ソフトは、ＭＩＤＩ楽器やパソコンによるＤＴＭ（Desktop Music）という技法を使って制作され、ＭＩＤＩ規格に従ったデータ形式で音楽を記述したものである。よく知られているように、ＭＩＤＩデータはオーディオ信号をディジタル化したデータではなく、シンセサイザーを時系列的に制御して音楽のオーディオ信号を生成するための制御データ列である。
【０００５】
ある楽器編成で収録されたカラオケ伴奏音楽をディジタル圧縮符号化したディジタルオーディオデータ（ＤＡデータと記す）と、ほぼ同様な楽器編成を模してシンセサイザーにより同じカラオケ伴奏音楽を生成する場合のＭＩＤＩデータとを比較すると、データ量の面ではＭＩＤＩデータの方が圧倒的に小さい。ただシンセサイザーで現実感のある人声コーラスを合成するのは困難なため、人が歌ったコーラスをディジタル録音したＰＣＭデータを作成し、伴奏音楽ＭＩＤＩデータに同期するように付属させている楽曲が多い。両方の合計でもデータ量は充分に小さい。
【０００６】
ところで、ＭＩＤＩデータを主体としてカラオケ伴奏音楽を表現し、これに人声コーラスなどのディジタル録音データ（ＰＣＭデータ）を部分的に付加する仕組みを含めて、この形式のデータのことをカラオケ生成データと表記する。このカラオケ生成データにはさらに歌詞描出データが付属している。歌詞描出データとは、カラオケ伴奏音楽の進行と同期して歌詞をスーパーインポーズ表示するためのグラフィックス処理用のデータであり、表示する歌詞文字列、表示レイアウト、表示シーケンス、歌唱時機指示などの表現情報を含んでいる。
【０００７】
カラオケ生成データはきわめて小さなデータ量でカラオケ伴奏音楽を表現できるので（付属する歌詞描出データも充分に少量である）、１万曲を超す規模のカラオケデータベースでも小型で安価なパソコン用ハードディスク装置を蓄積メディアとして利用できて実用的である。またデータ量が小さいという同じ理由で、電話回線網などのディジタル通信メディアを利用して、広域に分散して運用されている多数のカラオケ端末装置に対して新曲のカラオケソフト（カラオケ生成データと歌詞描出データ）をホスト装置から配信する方式の通信カラオケシステムが容易に構築できた。
【０００８】
なお通信カラオケシステムでも、膨大な数の既存の楽曲についてはパッケージメディアを利用しているのが普通である。つまり既存楽曲のカラオケソフト（カラオケ生成データと歌詞描出データ）を記録したＣＤ−ＲＯＭを大量複製しておき、カラオケ端末装置の出荷時点で装置のＣＤ−ＲＯＭプレーヤーに前記のカラオケソフトのディスクを収納しておく。そのディスクに含まれていなかった新たな楽曲のカラオケソフトを補充する手段として通信システムを利用している。
【０００９】
通信カラオケの端末装置にて、ある楽曲のカラオケ生成データを処理してカラオケ伴奏音楽を発音させるとき、対応する歌詞描出データを同期処理し、音楽の進行に合せてリアルタイムで歌詞画像を描画生成して、ディスプレイに表示させる。歌詞の表示だけではつまらないので、背景に適当な動画を映し出している。背景映像はビデオＣＤなどに記録されており、端末装置内のＣＤ−ＲＯＭプレーヤーで再生する。
最初に説明したように、パッケージメディアを使った２つのタイプのカラオケ装置では、実際に演奏して録音したカラオケ伴奏音楽と、その楽曲の雰囲気に合せて制作・編集された楽曲専用の歌詞付きムード映像とがセットになっていた。しかし通信カラオケでは楽曲専用の歌詞付きムード映像はない。適当な長さで区分された大量の映像を共用映像データベースとしてビデオＣＤなどのメディアに蓄えておき、楽曲に合せて適当に選択した映像を再生する。
楽曲データベースの曲数がたとえば１万曲で、その合計の演奏時間がたとえば１万×４分であるとしても、共用映像データベースにそのような長時間分の動画映像が用意されているのではなく、楽曲の合計演奏時間の数百分の１ほどの再生時間の映像しかないのが普通である。共用映像データベースでは、たとえば５分ほどの長さで映像が区分されており、各区分映像は固有の映像ＩＤで区別される。ある楽曲を演奏するときに、映像データベースからどの映像を選択するのかを決める方式にはいくつかのアルゴリズムが考え出されている。できるだけそれぞれの楽曲の雰囲気にあった映像が歌詞の背景映像に選出されるように、映像データベースにおける各映像の分類の仕方や、各楽曲と映像の対応付けの仕組みに工夫をこらしている。
【００１０】
また通信カラオケシステムは、全国的な規模で広く配置された膨大な数のカラオケ端末装置と事業者が運営するホスト装置とが通信回線で結合された大規模なコンピュータ・ネットワークであり、音声情報や文字映像情報あるいは動画情報などを取り扱うマルチメディア・システムでもある。そこで新曲ソフトをすばやく供給するという特徴に加えて、ネットワーク資源を利用したさまざまな応用機能を実現している。たとえば、通信カラオケ事業者がホスト装置を通じて各端末装置の運用記録を集信したり、各端末装置の機能点検をしたり、運用記録と契約内容とに基づいて個別の端末装置をリモート制御するなど、カラオケ業務と直結したきわめて有用で高度な運用システムや保守管理システムを実現している。さらには、カラオケ演奏と直接的には関係しないものの、カラオケの利用環境と結びついた新たな娯楽サービスや情報サービスがいろいろと考え出され、ネットワーク資源を高度に利用したインテリジェント・エンターテイメント・システムといえるような進化の道を歩んでいる。
【００１１】
【発明が解決しようとする課題】
ＭＩＤＩデータでシンセサイザーを制御して作り出すカラオケ伴奏音楽は、一流の演奏家が実際に演奏してディジタル録音した伴奏音楽のＤＡデータの再生音に比べると、音楽としての品質や雰囲気および音質は相当に劣ると言わざるを得ない。楽曲のジャンルや楽器編成によっては、この差は決定的なマイナス要因となり、歌い手および聞き手の評価は著しく低くなる。
【００１２】
また、歌いながら歌詞の背景に表示される映像を見ることは、とくに聞き手にとって大きな楽しみである。歌われている内容と映し出される映像の内容の調和具合を楽しむことは、カラオケ愛好者にとっての娯楽要素の大きな１つである。通信カラオケでは、共用映像データベースの映像を適当に使い回ししながら背景映像を選出しているので、楽曲内容と映像内容の極端なミスマッチを避けるための工夫をしても、楽曲専用の歌詞付きムード映像を使うものに比べて大きく見劣りする。
【００１３】
オーディオおよびビデオの冗長度圧縮や伝送に関するディジタル信号処理技術は急速に進歩しており、録音した高品質のカラオケ伴奏音楽と楽曲専用の歌詞付きムード映像とをたとえばＭＰＥＧオーディオ・ビデオデータの形式で伝送する通信カラオケシステムを構築することは、技術的にあまり問題はなくなってきた。
【００１４】
しかし、望ましい楽器編成でカラオケ伴奏音楽を実際に演奏して収録することは、ＭＩＤＩ主体でカラオケ生成データを制作するのに比べてはるかにコストがかかるし時間もかかる。つぎつぎと生み出される新しい楽曲のすべてについて遅滞なく高品質なカラオケ伴奏音楽を演奏して収録することは、ソフト提供者（カラオケ事業者）にとって大きな負担である。
ソフト提供者にとってさらに大きな負担になるのが、楽曲専用の歌詞付きムード映像の制作である。それぞれの歌の内容にあったシナリオを作成して、短編の無声映画を撮影して編集するわけであり、これは大変な作業である。毎月数十曲ほど生まれる新曲について楽曲専用歌詞付きムード映像を遅滞なく制作するのは簡単なことではなく、現状の通信カラオケのような新曲配信スピードを維持することはきわめて難しい。
【００１５】
この発明は前述した従来の問題点に鑑みなされたもので、その目的は、新曲配信を遅滞なく行うことと、高品質なカラオケ伴奏音楽および各楽曲の内容によく調和した楽曲専用ムード映像を提供することとを、高い次元で両立させることにある。
【００１６】
【課題を解決するための手段】
この発明に係るカラオケ装置は、分説すると、つぎの事項（１）〜（16）により特定されるものである。
（１）第１データベースと、音響再生手段と、映像再生手段と、第２データベースと、演奏手段と、制御手段と、音響出力手段と、映像出力手段を備えたカラオケ装置であること
（２）第１データベースは、第１タイプ楽曲データを楽曲ＩＤに対応付けて集約すること
（３）第１タイプ楽曲データは、伴奏音楽録音データおよびムード映像の多重化データと、歌詞描出データを含むこと
（４）ムード映像は、パートＩＤにより特定される複数の区分単位で再生可能であること
（５）音響再生手段は、第１タイプ楽曲データから分離された伴奏音楽録音データを再生可能とすること
（６）映像再生手段は、第１タイプ楽曲データから分離されたムード映像を再生可能とすること
（７）第２データベースは、第２タイプ楽曲データを楽曲ＩＤに対応付けて集約すること
（８）第２タイプ楽曲データは、伴奏音楽電子楽譜データと、歌詞描出データと、台本データを含むこと
（９）台本データは、複数のパートＩＤを時系列に配列すること
（10）演奏手段は、伴奏音楽電子楽譜データに従って伴奏音楽を演奏可能であること
（11）制御手段は、指定された楽曲ＩＤが第１タイプ楽曲データを指す場合は第１モードを、第２タイプ楽曲データを指す場合は第２モードを実行すること
（12）第１モードは、該当の第１タイプ楽曲データを第１データベースから抽出し、伴奏音楽録音データおよびムード映像を同期再生させるとともに、歌詞描出データに基づいて伴奏音楽に同期した歌詞画像を作成し、伴奏音楽を音響出力手段より出力し、ムード映像に歌詞画像をスーパーインポーズして映像出力手段より出力すること
（13）第２モードは、該当の第２タイプ楽曲データを第２データベースから抽出し、第１〜第３処理を行うこと
（14）第１処理は、伴奏音楽電子楽譜データに従って伴奏音楽を演奏させて音響出力手段より出力させること
（15）第２処理は、伴奏音楽に進行に伴って台本データから順次１つのパートＩＤを選出し、当該パートＩＤにより第１データベースにおける第１タイプ楽曲データ中のムード映像の区分を特定し、当該特定区分を映像再生手段に再生させて映像出力手段により出力させること
（16）第３処理は、歌詞描出データに基づいて伴奏音楽に同期した歌詞画像を作成し、これをムード映像にスーパーインポーズして映像出力手段より出力させること
【００１９】
【発明の実施の形態】
＝＝＝装置の制御系の中枢＝＝＝
この発明の一実施例によるカラオケ装置の概略構成を図１に示している。ＣＰＵ１・ＲＡＭ２・ＲＯＭ３・ＨＤＤ（ハードディスクドライブ）４などを中心とするコンピュータがこの装置を統一的に制御するとともに、各種のデータ処理の役割も担っている。装置の本体には表示器とキーボードなどを含むユーザインタフェース用の操作パネル５があり、またリモコン送信器６に対応したリモコン受信器７も付属している。操作パネル５やリモコン受信器７はユーザＩＦ（インタフェース）プロセッサ８および周辺ＩＦ（インタフェース）回路９を介してＣＰＵ１のバスに結合されている。カラオケ利用者は本体の操作パネル５やリモコン送信器６により選曲などの各種操作入力を行い、その操作内容や操作入力に対する装置の応答情報や各種の案内情報が操作パネル５に表示される。また、ＣＰＵ１は周辺ＩＦ回路９およびモデム１０を介して通信回線網に接続され、この装置は通信カラオケシステムの端末装置としても機能する。
【００２０】
＝＝＝ＭＰＥＧタイプとＭＩＤＩタイプ＝＝＝
カラオケのコンテンツはもっぱらＤＶＤ（ディジタルビデオディスク）プレーヤー１１内のＤＶＤに蓄積されており、また一部のコンテンツはＨＤＤ４にも蓄積されている。この装置におけるカラオケコンテンツには、情報表現の仕組みが大きく異なるＭＰＥＧタイプとＭＩＤＩタイプの２種類がある。
【００２１】
ＭＰＥＧタイプのコンテンツはカラオケＡＶデータと歌詞描出データからなる。カラオケＡＶデータは、実際に演奏されて録音されたカラオケ伴奏音楽をディジタル圧縮符号化した各楽曲単位のオーディオデータと、各楽曲の雰囲気に合せて制作・編集されたムード映像をディジタル圧縮符号化したビデオデータとを多重化したデータであり、そのデータ形式はＭＰＥＧ規格に従っている。歌詞描出データは、カラオケ伴奏音楽の進行と同期して歌詞をスーパーインポーズ表示するためのグラフィック処理用のデータであり、表示する歌詞文字列、表示レイアウト、表示シーケンス、歌唱時機指示などの表現情報を含んでいる。
【００２２】
ＭＰＥＧタイプ楽曲のデータ記録形式としては、たとえば前記カラオケＡＶデータの直前に前記歌詞描出データを記録したり、あるいは歌詞描出データだけを多数曲分集めて記録する。または、カラオケＡＶデータに対して歌詞描出データを多重化して記録することも可能である。
【００２３】
ＭＩＤＩタイプのコンテンツは、シンセサイザー２２を制御してカラオケ伴奏音楽の合成音を生成するＭＩＤＩデータと、その伴奏音楽に部分的に付加する人声コーラスなどのディジタル録音データ（ＰＣＭデータ）と、歌詞描出データと、映像借用台本データのセットである。このデータセットの記録形式は従来の通信カラオケシステムと同じでもよいし、べつの形式を採用してもよい。なお、カラオケ伴奏音楽のもととなるＭＩＤＩデータとＰＣＭデータのセットをカラオケ生成データと称する。
歌詞描出データは、カラオケ伴奏音楽の進行と同期して歌詞をスーパーインポーズ表示するためのグラフィック処理用のデータであり、表示する歌詞文字列、表示レイアウト、表示シーケンス、歌唱時機指示などの表現情報を含んでいる。
【００２４】
映像借用台本データは、前記カラオケＡＶデータ（ＭＰＥＧタイプ・コンテンツの主要素）の各楽曲の前記ムード映像を部分的に借用して背景映像を編集するために、借用しようとする複数の映像パートの識別情報を時系列に表現したデータである。これについては後で詳しく説明する。
【００２５】
＝＝＝カラオケデータベース＝＝＝
ＤＶＤドライブ１３により再生される複数枚のＤＶＤを主要なディジタル蓄積メディアとし、またＨＤＤ４を補助的なディジタル蓄積メディアとして、前記のＭＰＥＧタイプおよびＭＩＤＩタイプの膨大な曲数のカラオケコンテンツのデータベースが構築されており、ＣＰＵ１が中心となってデータベースを管理している。この実施例で用いているＤＶＤは再生専用の光ディスク（ＤＶＤ−ＲＯＭ）であり、データを記録したディスクが大量に複製され、本カラオケ装置のＤＶＤドライブ１３に装填される。
【００２６】
カラオケコンテンツには１万曲にも及ぶ既存楽曲があり、それに加えて毎月数十曲ほどのペースで新規楽曲が生み出される。新規楽曲については前述のＭＩＤＩタイプで制作され、カラオケ事業者が運営するホスト装置から各カラオケ装置に通信カラオケシステムのネットワークを通じて配信される。カラオケ装置では、ホスト装置から配信されてきたＭＩＤＩタイプの新規楽曲データをＨＤＤ４に蓄積し、データベースのインデックスファイルにその新規楽曲の管理レコードを追加する。
【００２７】
既存楽曲については、ＭＰＥＧタイプで制作した楽曲と、ＭＩＤＩタイプで制作した楽曲とがあり、複数枚のＤＶＤに適宜に区分けして収録してある。コンスタントな人気のあるスタンダード曲など、高品質な音と適切なムード映像が求められる楽曲についてはＭＰＥＧタイプで制作する。もちろんＭＰＥＧタイプの制作コストは高い。リクエストの少ない古い楽曲や人気の将来性が不透明な新しめの楽曲などについてはＭＩＤＩタイプで制作する。ＭＩＤＩタイプは、カラオケ生成データの制作コストが安いし、楽曲専用のムード映像は制作しないので、ＭＰＥＧタイプに比べてはるかに安価である。
【００２８】
なお、新たなコンテンツを収録した新たなＤＶＤタイトルを追加配付する場合に、古いＤＶＤタイトルにはＭＩＤＩタイプで収録していた楽曲でも、その後に人気が出たのでＭＰＥＧタイプで制作しなおして収録することも問題にはならない。
【００２９】
ＣＰＵ１はカラオケデータベースを管理するために、ＨＤＤ４にインデックスファイルを作成し、その内容を適宜に更新する。インデックスファイルには、楽曲ＩＤをキーとする各楽曲ごとの管理レコードが集約されている。各楽曲の管理レコードには、該当楽曲のデータがＭＰＥＧタイプなのかＭＩＤＩタイプなのかが分かる情報と、その楽曲データの格納場所を示す情報とが含まれる。もちろん楽曲のタイトル・歌手名・作曲者・作詞者など、意図に応じたさまざまな属性情報を管理レコードに記入しておくことができる。
【００３０】
ＤＶＤドライブ１３に装填される複数枚のＤＶＤタイトルのそれぞれのヘッダーには管理情報が記録されている。ヘッダー管理情報には、それぞれのディスクに何がどの位置に収録されているのかが集約的に記述されている。ＣＰＵ１はイニシャル処理の１つの作業として、ＤＶＤドライブ１３に装填されている各ＤＶＤタイトルのヘッダー管理情報を読み取り、その内容に基づいて前述のインデックスファイルを作成する。また前述したように、ホスト装置から配信されてきたＭＩＤＩタイプの新規楽曲データをＨＤＤ４に蓄積し、データベースのインデックスファイルにその新規楽曲の管理レコードを追加する。
【００３１】
前記カラオケデータベースのディジタル蓄積メディアとしては、再生専用のＤＶＤやＨＤＤだけでなく、その他のさまざまなメディアを用いることができる。たとえば、ＤＶＤ−ＲＡＭと呼ばれる書き換え可能な光ディスク、ＤＶＤ−Ｒと呼ばれる追記型の光ディスク、光磁気ディスク、ミニディスク（ＭＤ）、ＩＣメモリなどの利用が考えられる。通信システムによりホスト装置から配信されてくるＭＩＤＩタイプの楽曲データは、ＨＤＤ４以外の書き込み可能なメディアに蓄積してもよいのは言うまでもない。また、充分な通信速度を確保できるのであれば、ＭＰＥＧタイプのデータをホスト装置から多数のカラオケ装置に配信して、たとえばＤＶＤ−ＲＡＭに蓄積することも可能である。
【００３２】
＝＝＝ＭＰＥＧタイプのデータ処理系＝＝＝
ＤＶＤコントローラ１２がＤＶＤプレーヤー１１の各部を統一的に制御する。コントローラ１２は周辺ＩＦ回路３２を介してＣＰＵ１に結合されており、ＣＰＵ１からの指示通りにプレーヤー１１を動作させる。
ＤＶＤドライブ１３はディスクチェンジャー式の複数台のドライブを並設したもので、あるディスクの再生動作から別のディスクの再生動作にほとんど瞬間的に切替可能である。ＤＶＤドライブ１３の出力はまず復調・誤り訂正回路１４で処理されて、ＭＰＥＧデコーダ１５に入力される。また復調・誤り訂正回路１４のビットストリーム出力を周辺ＩＦ回路３２を介してＣＰＵ１のバスに導く経路もある。
【００３３】
ＭＰＥＧタイプのある楽曲のデータ（カラオケＡＶデータおよび歌詞描出データ）を再生するようにＣＰＵ１からＤＶＤコントローラ１２に指示が来ると、コントローラ１２の制御によりプレーヤー１１はつぎのように動作する。
指定された楽曲データが含まれたディスクをＤＶＤドライブ１３で再生し、まずその楽曲の歌詞描出データを読み取ってＭＰＥＧデコーダ１５経由でグラフィックス回路２０に渡し、つぎにその楽曲のカラオケＡＶデータを再生してＭＰＥＧデコーダ１５に入力する。カラオケＡＶデータはＭＰＥＧデコーダ１５でオーディオデータとビデオデータに分離され、それぞれオーディオ信号処理回路１８とビデオ信号処理回路１６で復号化処理されて、ＤＡ変換器１９からカラオケ伴奏音楽のアナログ信号が出力され、それに同期してＤＡ変換器１７からムード映像のアナログ信号が出力される。これらの処理と同期してグラフィックス回路２０によって前記歌詞描出データが処理されて、ＤＡ変換器１９から出力されるカラオケ伴奏音楽の進行に合せて変化する歌詞画像のグラフィックスデータが生成される。
このようにしてＤＶＤプレーヤー１１からＡＶコントローラ２７に向けてカラオケ伴奏音楽のオーディオ信号Ａ１とムード映像のビデオ信号Ｖ１と歌詞画像のグラフィックスデータＧ１とが出力される。オーディオ信号Ａ１はミキシングアンプ２８でマイク３０からの歌唱オーディオ信号とともに増幅され、カラオケ伴奏音楽と利用者の歌唱音がスピーカーシステム２９から発音される。同時に、ビデオ信号Ｖ１によるムード映像がディスプレイ３１に表示されるとともに、グラフィックスデータＧ１による歌詞画像が同じディスプレイ３１にスーパーインポーズ表示される。
【００３４】
＝＝＝ＭＩＤＩタイプのデータ処理系＝＝＝
リクエスト曲を受け付けたＣＰＵ１は、インデックスファイル中の該当楽曲のレコードを取得し、その楽曲がＭＩＤＩタイプで登録されていることが分かった場合、その楽曲データがＨＤＤ４に蓄積されているのかＤＶＤドライブ１３に蓄積されているのかを認知し、ＨＤＤ４またはＤＶＤドライブ１３から該当楽曲の一連のデータを読み取ってＲＡＭ２の作業エリアに書き込む。
楽曲データがＤＶＤドライブ１３に蓄積されている場合は、ＣＰＵ１は周辺ＩＦ回路３２を通じてＤＶＤコントローラ１２に指示を出し、該当のＤＶＤタイトルの該当箇所を再生させて、復調・誤り訂正回路１４を経た再生信号を周辺ＩＦ回路３２を通じて取り込み、ＲＡＭ２の作業エリアに書き込む。
【００３５】
前述したように、ＭＩＤＩタイプの楽曲データは、シンセサイザー２２を制御してカラオケ伴奏音楽の合成音を生成するＭＩＤＩデータと、その伴奏音楽に部分的に付加する人声コーラスなどのディジタル録音データ（ＰＣＭデータ）と、歌詞描出データと、映像借用台本データのセットである。ＲＡＭ２の作業エリアに展開したデータのうち、ＭＩＤＩデータはＭＩＤＩプロセッサ２３に渡し、ＰＣＭデータはＰＣＭデコーダ２１に渡し、歌詞描出データはグラフィックス回路２４に渡し、映像借用台本データは周辺ＩＦ３２を通じてＤＶＤコントローラ１２に渡す。
【００３６】
ＭＩＤＩプロセッサ２２が与えられたＭＩＤＩデータに従ってシンセサイザー２２とエフェクター２５を制御することで、ＭＩＤＩデータで表現されたカラオケ伴奏音楽のアナログオーディオ信号がＤＡ変換器２６から生み出される。このカラオケ伴奏音楽の生成処理と同期してＰＣＭデコーダ２１にて人声コーラスなどのＰＣＭデータが復号化され、その出力がエフェクター２５でカラオケ伴奏音楽と混合され、人声コーラスなどが付帯したカラオケ伴奏音楽のアナログオーディオ信号Ａ２がＤＡ変換器２６からＡＶコントローラ２７に向けて出力される。この音楽生成処理と同期してグラフィックス回路２４が渡された歌詞描出データを処理することで、ＤＡ変換器２６から出力されるカラオケ伴奏音楽の進行に合せて変化する歌詞画像のグラフィックスデータＧ２が生成される。
【００３７】
このようにしてＤＡ変換器２６から出力されるカラオケ伴奏音楽のオーディオ信号Ａ２と、グラフィックス回路２４から出力される歌詞画像のグラフィックスデータＧ２がＡＶコントローラ２７に供給される。ＡＶコントローラ２７もＣＰＵ１により制御されて信号経路が切り換えられており、オーディオ信号Ａ２がミキシングアンプ２８で増幅されてスピーカーシステム２９に供給され、シンセサイザー２２により作り出されたカラオケ伴奏音楽がスピーカーから鳴り出す。同時に、グラフィックスデータＧ２による歌詞画像がディスプレイ２７にスーパーインポーズ表示される。
【００３８】
なお以上では、グラフィックスデータＧ２による歌詞画像の背景に何が表示されるのかは説明していない。ここまで説明したＭＩＤＩタイプの楽曲の再生処理中にＤＶＤプレーヤー１１から出力されるビデオ信号Ｖ１がＡＶコントローラ２７を通じてディスプレイ３１に表示されるが、この映像が前記の歌詞画像の背景映像となる。この背景映像がＤＶＤタイトル中からどのように選ばれて出力されるのかが、ＭＩＤＩタイプの楽曲データに含まれている映像借用台本データに規定されている。このことについて以下に詳しく説明する。
【００３９】
＝＝＝背景借用台本データ＝＝＝
ＤＶＤドライブ１３に装填されている複数枚のＤＶＤタイトルの全体で、たとえば５千曲分のＭＰＥＧタイプのコンテンツが収録されているとする。それら各楽曲にはそれぞれ専用のムード映像がカラオケＡＶデータの形で記録されている。各楽曲のムード映像の平均の収録時間をたとえば４分とすると、全体では５千×４分の映像データが存在することになる。この膨大な映像データを借用することで、ＭＩＤＩタイプ楽曲の演奏時の背景映像を作り出す。
【００４０】
ＭＰＥＧタイプの各楽曲のムード映像には前述のように歌詞画像は含まれていないので、これを他の楽曲用の背景映像として借用することができる。また各楽曲のムード映像はＭＰＥＧオーディオ・ビデオデータの形式でディスクに記録されており、１曲分のムード映像はたとえばチャプターという概念で複数のパートに区分されており、各映像パートはたとえばチャプター番号という概念のパートＩＤで区別される。
【００４１】
ＤＶＤコントローラ１２は映像単独再生モードでプレーヤー１１を動作させる制御手段を備えている。映像単独再生モードとは、ＤＶＤタイトルに記録されているカラオケＡＶデータ中のビデオデータのみを部分的に再生して出力する動作である。ＣＰＵ１からＤＶＤコントローラ１２に対して映像単独再生モードの動作指令を与え、かつ楽曲ＩＤとパートＩＤを与えると、プレーヤー１１では指定楽曲のムード映像中の指定パートだけを再生してＤＡ変換器１７から出力する。
【００４２】
ＭＩＤＩタイプの楽曲データに含まれている映像借用台本データとは、ＭＰＥＧタイプ楽曲のカラオケＡＶデータのムード映像を部分的に借用して背景映像を編集するために、借用しようとする複数の映像パートの識別情報を時系列に表現したもので、楽曲ＩＤとパートＩＤのセットを複数セット時系列に並べたデータ列である。
ＭＩＤＩタイプ楽曲を演奏するときに、その楽曲データに含まれる映像借用台本データに従ってＤＶＤプレーヤー１１が映像単独再生モードで動作し、その動作によって順次出力されるビデオ信号Ｖ１が、グラフィックス信号Ｇ２による歌詞画像の背景映像としてディスプレイ３１に表示される。
【００４３】
以上詳しく説明した動作の流れを図２のフローチャートに整理しているので参照されたい。
なお、楽曲と対応付けされていない共用映像をＭＰＥＧビデオデータの形式で適当なＤＶＤタイトルとして記録してデータベース化しておき（それをＤＶＤドライブ１３に装填しておく）、その共用映像データベースをＭＩＤＩタイプ楽曲の演奏時の背景映像に使う機能を追加すればより望ましい。
【００４４】
【発明の効果】
この発明によれば、新曲配信を遅滞なく行うことと、高品質なカラオケ伴奏音楽および各楽曲の内容によく調和した楽曲専用ムード映像を提供することとを、高い次元で両立させることができる。つまり、コンスタントな人気のあるスタンダード曲など、高品質な音と適切なムード映像が求められる楽曲については、実際に演奏したカラオケ伴奏音楽と楽曲専用に制作した歌詞無しムード映像とを前記カラオケＡＶデータの形式で用意する。このコンテンツの制作コストは高い。一方、リクエストの少ない古い楽曲や人気の将来性が不透明な新しめの楽曲、できるだけ早く補充する新曲などについては、シンセサイザーを制御してカラオケ伴奏音楽を生成するためのＭＩＤＩのようなデータ形式で制作する。この形式のカラオケ生成データの制作コストが安いし、楽曲専用のムード映像は制作しないので、制作が容易で安価である。とくに後者のタイプの楽曲を演奏するときには前者のタイプのムード映像を巧みに借用して表示するので、きわめて合理的である。いずれのタイプも楽曲の進行と合せて、歌詞描出データに基づいて歌詞画像がリアルタイムにディスプレイに描画される。
【図面の簡単な説明】
【図１】この発明の一実施例によるカラオケ装置の概略構成ブロック図である。
【図２】同上実施例装置の基本動作の流れを示したフローチャートである。
【符号の説明】
１    ＣＰＵ
４    ハードディスクドライブ
１１  ＤＶＤプレーヤー
【図１】
0003983568.tif 000002
【図２】
0003983568.tif 000003